(57)【要約】【課題】無線タグ３を固着した無線タグ保持部材２を円筒状部材１の筒内に固定配置し、円筒状部材１の筒内を加工せずに無線タグを円筒状部材１の筒内に固定配置することができる無線タグを組込んだ円筒状部材を提供する。【解決手段】相互位置調整可能な２個の保持部４1 、４2 を備えた無線タグ保持部材であるコイルバネ２に無線タグ３を固着し、無線タグ２を固着したコイルバネ２を円筒状部材１の筒内に挿入し、長尺の無線タグ配置設定部材を用いて挿入したコイルバネ２の２個の４1 、４2 保持部を円筒状部材１の筒内壁に押圧させることにより、無線タグ保持部材であるコイルバネ２を円筒状部材１の筒内に固定配置した。【選択図】図１
2009003861.tif 000002
【特許請求の範囲】
【請求項１】
相互位置調整可能な複数の保持部を備えた無線タグ保持部材に無線タグを固着し、無線タグを固着した無線タグ保持部材を円筒状部材の筒内に挿入し、長尺の無線タグ配置設定部材を用いて挿入した前記無線タグ保持部材の複数の保持部を当該円筒状部材の筒内壁に押圧させることにより、前記無線タグ保持部材を当該円筒状部材の筒内に固定配置したことを特徴とする無線タグを組込んだ円筒状部材。
【請求項２】
前記無線タグ保持部材は、バネ材で構成したコイルバネであって、前記コイルバネは、コイル内に無線タグを固着し、そのバネ材の両端を当該コイルの外径方向に立設させてそれらの先端にそれぞれ保持部を配置形成したもので、前記無線タグを固着したコイルバネを円筒状部材の筒内に挿入するとき、先端にＵ字部を形成した無線タグ配置設定部材を用い、前記保持部を配置した前記バネ材の先端をバネ材のバネ圧に抗して前記Ｕ字部内に挟み込んだ状態で当該円筒状部材の筒内の所定位置まで挿入した後、前記無線タグ配置設定部材を当該円筒状部材から引き抜き、前記各保持部を前記コイルバネのバネ圧により当該円筒状部材の筒内壁に押圧させることにより、前記コイルバネを当該円筒状部材の筒内に固定配置したことを特徴とする請求項１に記載の無線タグを組込んだ円筒状部材。
【請求項３】
前記無線タグ保持部材は、４つの保持素子を菱形形状に連結配置したパンダグラフ型ジャッキであって、前記パンダグラフ型ジャッキは、いずれか１つの保持素子に無線タグを固着し、その菱形形状の上側素子連結部及び下側素子連結部にそれぞれ保持部を配置形成するとともに、その菱形形状の２つの横側素子連結部間にパンダグラフ昇降機構を接続配置したもので、前記パンダグラフ型ジャッキを円筒状部材の筒内に挿入するとき、パンダグラフ型ジャッキを降下させた状態で当該円筒状部材の筒内に所定位置まで挿入し、先端に係合部を形成した無線タグ配置設定部材を用いてその係合部を前記パンダグラフ昇降機構に係合させた後、前記無線タグ配置設定部材を回転させ、前記パンダグラフ昇降機構を上昇させて前記２つの保持部を当該円筒状部材の筒内壁に押圧させることにより、前記パンダグラフ型ジャッキを当該円筒状部材の筒内に固定配置したことを特徴とする請求項１に記載の無線タグを組込んだ円筒状部材。
【請求項４】
前記無線タグ保持部材は、内部に無線タグを固着した小型円筒部材と、その小型円筒部材の外周面から突出したそれぞれ保持部を構成する複数の半円弧状板バネとを備えた板バネ付円筒体であって、この板バネ付円筒体を円筒状部材の筒内に挿入するとき、前記円筒状部材の筒内径よりも若干小径でかつ短長の補助円筒体の内部に前記半円弧状板バネのバネ圧に抗して前記板バネ付円筒体を挿入し、その板バネ付円筒体を内挿した補助円筒体を当該円筒状部材の筒内の所定位置まで挿入した後、先端に押出部を形成した無線タグ配置設定部材を用い、その押出部による押圧によって前記板バネ付円筒体を前記補助円筒体の筒内から当該円筒状部材の筒内に押出し、前記複数の半円弧状板バネを当該円筒状部材の筒内壁に押圧させることにより、前記板バネ付円筒体を当該円筒状部材の筒内に固定配置したことを特徴とする請求項１に記載の無線タグを組込んだ円筒状部材。
【請求項５】
前記無線タグ保持部材は、２つの保持素子を屈曲形状または直線形状に変形できるように連結配置した変形保持体であって、前記変形保持体は、いずれか１つの保持素子に無線タグを固着し、連結した２つの保持素子の両端にそれぞれ２つの保持部を配置形成したもので、この変形保持体を円筒状部材の筒内に挿入するとき、前記２つの保持素子を屈曲形状にして当該円筒状部材の筒内の所定位置まで挿入した後、先端に押圧部を形成した無線タグ配置設定部材を用い、その押圧部による押圧によって前記変形保持体の２つの保持素子を屈曲形状から直線形状に変形させ、それにより前記２つの保持部を当該円筒状部材の筒内壁に押圧させることにより、前記変形保持体を当該円筒状部材の筒内に固定配置したことを特徴とする請求項１に記載の無線タグを組込んだ円筒状部材。
【発明の詳細な説明】
【技術分野】
【０００１】
本発明は、無線タグを組込んだ円筒状部材に係り、特に、無線タグを固着した無線タグ保持部材を円筒状の円筒状部材の筒内に固定配置する際に、その筒内を加工することなしに無線タグ保持部材を固定配置することを可能にした無線タグを組込んだ構造建築物用足場組立資材となる無線タグを組込んだ円筒状部材に関する。
【背景技術】
【０００２】
一般に、各種の製造物または生産物においては、それらの物品が製造または生産されたときの状態やその後の流通経緯や処理経緯を順次記録するため、当該物品の表面に直接無線タグを取り付けたり、当該物品の内部に無線タグを組み込んだりして、当該物品の製造所（者）、製造年月日、処理状態、移動状態等の種々の履歴を無線タグに記録することが行われており、これらの無線タグに記録されている履歴情報記録を、必要に応じてタグリーダーを用いて読み取ることにより、当該物品に対する種々の履歴を知ることができる。
【０００３】
無線タグを物品の表面に取り付けたり、物品の内部に組み込んだりする場合には、当該物品を処理したり、移動させたりする際に、当該物品と他の物品との接触や当該物品同士の接触が生じると、その接触時に当該物品に取着または内包されている無線タグが破損したり、傷付いたりすることがある。そして、当該物品に取着または内包されている無線タグが破損または傷付いたりした場合、無線タグの性能が低下して所要の履歴情報の記録が不正確になってしまったり、場合によっては使用不能になり所要の履歴情報の記録ができなくなってしまったりする。
【０００４】
無線タグにおけるこのような事態が発生するのを回避するため、無線タグを封入容器内に収納した状態にして用いたり、物品の一部の強固構造にしてその中に無線タグを収納して用いたりするものも考案されており、その中で、無線タグを封入容器に収納したものの例としては、特開２００６−２６８７２５号公報に開示の無線タグ封入容器があり、無線タグを物品の一部の強固構造中に入れたものの例としては、特開２００５−１７０３８９号公報に開示の無線タグ付き金属製容器がある。
【０００５】
この場合、特開２００６−２６８７２５号公報に開示の無線タグ封入容器は、長方形の平板状の基板と、その基板上に配置され、上辺を除いた三辺に配置された側壁により中央に収納溝を形成した側壁部材と、この側壁部材上に配置され、収納溝に連通する連通穴を有する長方形の封印板とによって容器部が構成されており、無線タグは、その収納溝内に保持配置されている。このような構成にすれば、無線タグが金属性の物体に直接触れることがなく、無線タグが連通穴を通して無線タグの交信先と通常の交信を行うことができるものである。
【０００６】
また、特開２００５−１７０３８９号公報に開示の無線タグ付き金属製容器は、ビール樽として用いられるもので、円筒状の金属製容器の上部に無線タグを収納できる形状の収納孔を形成し、その収納孔の内部に無線タグを収納配置するとともに、収納孔に連通した切込み部を設けているものである。このような構成にすれば、無線タグの破損を防止しながら、無線タグの交信先と通常の交信を行うことができるものである。
【特許文献１】特開２００６−２６８７２５号公報
【特許文献２】特開２００５−１７０３８９号公報
【発明の開示】
【発明が解決しようとする課題】
【０００７】
一般に、構造建築物を建設する時や構造建築物を修復する時などには、当該構造建築物の周囲に多くの円筒状の円筒状部材を組み立てて構成した作業員の足場や連絡路が形成される。これらの足場や連絡路を形成する円筒状の円筒状部材は、作業の開始時に組み立て構成され、作業の終了時にその組み立て構成が解体されて多くの個別の円筒状部材になるもので、通常、作業現場が変わる度に繰り返し組み立て構成、および、その組み立て構成の解体が行われることから、それらの円筒状部材の使用期間が長くなったり、組み立て構成の回数が多くなったりすると、円筒状部材が劣化したり、強度低下が生じたりして、作業に支障を来すようになる。このため、円筒状の円筒状部材は、一本ごとにその製造年月日、使用状態、使用通算時間、管理状態等の履歴情報を管理記録しておく必要があり、その管理記録のために無線タグを取着し、その無線タグに記録することが考えられる。
【０００８】
ところで、円筒状の円筒状部材に無線タグを取着する場合には、円筒状の円筒状部材の筒外に取着すると、足場や連絡路を組み立て構成する際に、その組み立て作業の邪魔になったり、無線タグの表面に付着した泥や埃等の影響を受けて読み取り性能劣化が生じたり、解体した複数本の円筒状の円筒状部材を束ねて管理するときに、他の円筒状部材と接触したり、ぶつかりあったりして破損または性能低下が生じることがある。このため、円筒状の円筒状部材に無線タグを取着する場合は、円筒状の円筒状部材の筒表面に取着せずに、専用容器内や筒内に取着することが好ましい。
【０００９】
この場合、前記特開２００６−２６８７２５号公報に開示の無線タグ封入容器の技術手段は、無線タグを専用容器内に取着する手段に係るものであるが、前記特開２００６−２６８７２５号公報には、無線タグを内包した専用容器を円筒状の円筒状部材に適用可能であることの開示および示唆がないだけなく、当該専用容器を円筒状の円筒状部材の筒内に固定配置するための具体的手段の開示および示唆がないものであって、円筒状の円筒状部材の筒内に当該専用容器を固定配置することを予測しているものではない。
【００１０】
また、前記特開２００５−１７０３８９号公報に開示の無線タグ付き金属製容器の技術手段は、円筒状の金属製容器を加工して無線タグの収納孔を形成し、その収納孔内に無線タグを取着する手段に係るものであるが、前記特開２００５−１７０３８９号公報には、円筒状の金属製容器として円筒状の円筒状部材に適用できる旨の開示および示唆がないだけでなく、円筒状の金属製容器をどのように加工して無線タグの収納部を形成するかについての開示および示唆がないものであって、円筒状の円筒状部材の筒内に無線タグを固定配置することを予測しているものではない。
【００１１】
そして、円筒状の円筒状部材の筒内に、単純に無線タグを取着したとすると、円筒状部材の組み立て構成時または組み立て構成した円筒状部材の解体時にそれぞれ加わる振動、衝撃等によって、取着した無線タグの取着が外れたりすることがあり、円筒状の円筒状部材の筒内を無線タグの取着が外れないように加工しようとした場合、その加工箇所が円筒状の円筒状部材の筒内であるため、筒内だけの加工作業はかなり難しいものになるだけでなく、その加工箇所の厚みが低下して円筒状の円筒状部材の強度が低下し、また、その加工箇所に無線タグを取着するための孔を開けたときも、同じように円筒状の円筒状部材の強度が低下するようになる。
【００１２】
本発明は、このような技術的背景に鑑みてなされたもので、無線タグを固着した無線タグ保持部材を円筒状部材の筒内に固定配置し、円筒状部材の筒内を加工せずに無線タグを円筒状部材の筒内に固定配置することができる無線タグを組込んだ円筒状部材を提供することにある。
【課題を解決するための手段】
【００１３】
前記目的を達成するために、本発明による無線タグを組込んだ円筒状部材は、相互位置調整可能な複数の保持部を備えた無線タグ保持部材に無線タグを固着し、無線タグを固着した無線タグ保持部材を円筒状部材の筒内に挿入し、長尺の無線タグ配置設定部材を用いて挿入した無線タグ保持部材の複数の保持部を円筒状部材の筒内壁に押圧させることにより、無線タグ保持部材を円筒状部材の筒内に固定配置した主たる構成手段を具備する。
【００１４】
この場合、前記主たる構成手段における無線タグ保持部材は、バネ材で構成したコイルバネであって、コイルバネは、コイル内に無線タグを固着し、そのバネ材の両端を当該コイルの外径方向に立設させてそれらの先端にそれぞれ保持部を配置形成したもので、無線タグを固着したコイルバネを円筒状部材の筒内に挿入するとき、先端にＵ字部を形成した無線タグ配置設定部材を用い、保持部を配置したバネ材の先端をバネ材のバネ圧に抗してＵ字部内に挟み込んだ状態で当該円筒状部材の筒内の所定位置まで挿入した後、無線タグ配置設定部材を当該円筒状部材から引き抜き、各保持部をコイルバネのバネ圧により当該円筒状部材の筒内壁に押圧させることにより、コイルバネを当該円筒状部材の筒内に固定配置した第１の構成手段を具備する。
【００１５】
また、前記主たる構成手段における無線タグ保持部材は、４つの保持素子を菱形形状に連結配置したパンダグラフ型ジャッキであって、パンダグラフ型ジャッキは、いずれか１つの保持素子に無線タグを固着し、その菱形形状の上側素子連結部及び下側素子連結部にそれぞれ保持部を配置形成するとともに、その菱形形状の２つの横側素子連結部間にパンダグラフ昇降機構を接続配置したもので、パンダグラフ型ジャッキを円筒状部材の筒内に挿入するとき、パンダグラフ型ジャッキを降下させた状態で円筒状部材の筒内に所定位置まで挿入し、先端に係合部を形成した無線タグ配置設定部材を用いてその係合部をパンダグラフ昇降機構に係合させた後、無線タグ配置設定部材を回転させ、パンダグラフ昇降機構を上昇させて２つの保持部を円筒状部材の筒内壁に押圧させることにより、パンダグラフ型ジャッキを円筒状部材の筒内に固定配置した第２の構成手段を具備する。
【００１６】
さらに、前記構成手段における無線タグ保持部材は、内部に無線タグを固着した小型円筒部材と、その小型円筒部材の外周面から突出したそれぞれ保持部を構成する複数の半円弧状板バネとを備えた板バネ付円筒体であって、この板バネ付円筒体を円筒状部材の筒内に挿入するとき、円筒状部材の筒内径よりも若干小径でかつ短長の補助円筒体の内部に半円弧状板バネのバネ圧に抗して板バネ付円筒体を挿入し、その板バネ付円筒体を内挿した補助円筒体を当該円筒状部材の筒内の所定位置まで挿入した後、先端に押出部を形成した無線タグ配置設定部材を用い、その押出部による押圧によって板バネ付円筒体を補助円筒体の筒内から円筒状部材の筒内に押出し、複数の半円弧状板バネを円筒状部材の筒内壁に押圧させることにより、板バネ付円筒体を円筒状部材の筒内に固定配置した第３の構成手段を具備する。
【００１７】
また、前記構成手段における無線タグ保持部材は、２つの保持素子を屈曲形状または直線形状に変形できるように連結配置した変形保持体であって、変形保持体は、いずれか１つの保持素子に無線タグを固着し、連結した２つの保持素子の両端にそれぞれ２つの保持部を配置形成したもので、この変形保持体を円筒状部材の筒内に挿入するとき、２つの保持素子を屈曲形状にして円筒状部材の筒内の所定位置まで挿入した後、先端に押圧部を形成した無線タグ配置設定部材を用い、その押圧部による押圧によって変形保持体の２つの保持素子を屈曲形状から直線形状に変形させ、それにより２つの保持部を円筒状部材の筒内壁に押圧させることにより、変形保持体を円筒状部材の筒内に固定配置した第４の構成手段を具備する。
【発明の効果】
【００１８】
以上、詳細に説明したように、本発明によれば、複数の保持部を備えた無線タグ保持部材に無線タグを固着し、無線タグを固着した無線タグ保持部材を円筒状部材の筒内に挿入し、長尺の無線タグ配置設定部材を用いて挿入した無線タグ保持部材の複数の保持部を円筒状部材の筒内壁に押圧させることにより、無線タグ保持部材を円筒状部材の筒内に固定配置するようにしているので、円筒状部材の筒内を加工せずに円筒状部材を通常の強度を保った状態で無線タグを円筒状部材の筒内に固定配置させることができ、それにより無線タグが他の部材に接触したり、ぶつかりあったりすることなく、それぞれの円筒状部材の履歴情報を無線タグに管理記録させることが可能になるという効果がある。
【発明を実施するための最良の形態】
【００１９】
以下、本発明の実施の形態について図面を用いて説明する。
【００２０】
図１は、本発明による無線タグを組込んだ円筒状部材の第１の実施の形態に係るもので、無線タグ保持部材がコイルバネである例を示すものである。
【００２１】
図１に示されるように、第１の実施の形態に係る無線タグを組込んだ円筒状部材は、断面円筒状で長尺の金属製円筒状部材１と、円筒状部材１の筒内に固定配置した無線タグ保持部材となるコイルバネ２とからなっている。そして、バネ材で形成されたコイルバネ２は、コイル内に無線タグ３が固着され、コイルの両端からそれぞれ突出したバネ材両端部２1 、２2 にそれぞれゴム製の保持部４1 、４2 が結合配置されたもので、バネ材のバネ圧に抗して２つの保持部４1 、４2 を含むバネ材両端部２1 、２2 をＶ字型に形成し、そのときのバネ材の反発力により２つの保持部４1 、４2 が円筒状の円筒状部材１の筒内壁を強力に押圧するようにし、その押圧力によって無線タグ３とともにコイルバネ２が円筒状の円筒状部材１の筒内に固定配置している。このとき、図１に図示されるように、無線タグリーダ５を円筒状部材１の筒口に近づけると、その円筒状の円筒状部材１の筒内に固定配置された無線タグ３の固有のＩＤを無線信号によって読み取ることができる。
【００２２】
また、図２（ａ）乃至（ｃ）は、無線タグ保持部材となるコイルバネ２を三方面からそれぞれ見たときの図であって、（ａ）はコイルバネ２を上側から見た上面図、（ｂ）はコイルバネ２を正面から見た正面図、（ｃ）はコイルバネ２を側面から見た側面図である。なお、図２（ａ）乃至（ｃ）において、図１に図示された構成要素と同じ構成要素については同じ数字記号を付し、それら構成要素についての重複説明を省略する。
【００２３】
さらに、図３は、本発明による無線タグを組込んだ円筒状部材の第１の実施の形態において、円筒状部材１の筒内にコイルバネ２を固定配置したときの配置状態を示す側面図である。なお、図３においても、図１に図示された構成要素と同じ構成要素に同じ数字記号を付し、それら構成要素についての重複説明を省略する。
【００２４】
また、図４は、本発明による無線タグを組込んだ円筒状部材の第１の実施の形態において、円筒状部材１の筒内にコイルバネ２を固定配置する際に使用される無線タグ配置設定部材となるコイルバネ取付用部材の使用状態を表わす説明図である。なお、図４において、６はコイルバネ取付用部材、６1 はコイルバネ取付用部材６の先端に設けられたＵ字部であって、その他に、図１に図示された構成要素と同じ構成要素に同じ数字記号を付し、それら構成要素についての重複説明を省略する。
【００２５】
ここで、図１乃至図４を参照し、第１の実施の形態に係る無線タグを組込んだ円筒状部材が形成されるまでの処理経緯について述べる。
【００２６】
まず、図２（ｃ）の実線で示すように、コイルバネ２の内部に無線タグ３を挿入し、溶接機による溶接または接着剤を用いた接着によりコイルバネ２内に無線タグ３を固着する。このとき、コイルバネ２のバネ材両端部２1 、２2 は、それぞれコイルバネ２から外側方向に突出し、突出したそれらのバネ材両端部２1 、２2 が一直線上にあるように形成される。また、バネ材両端部２1 、２2 の先端には、図２（ａ）に示すように、それぞれ短長の丸棒型保持部４1 、４2 がバネ材両端部２1 、２2 の長手方向に直交する状態で接続配置されている。
【００２７】
次に、コイルバネ２から突出したバネ材両端部２1 、２2 を、図２（ｃ）の点線で示すように、バネ材のバネ圧に抗して略Ｖ字型にし、その状態でバネ材両端部２1 、２2 を図４に図示したコイルバネ取付用部材６のＵ字部６1 に挟み込む。そして、コイルバネ２のバネ材両端部２1 、２2 を挟み込んだ状態で、コイルバネ取付用部材６のＵ字部６1 を円筒型の円筒状部材１の筒内に差し入れ、コイルバネ２を円筒状部材１の筒内の所定位置まで挿入させる。続いて、コイルバネ取付用部材６の手元を適宜操作し、図４に図示するように、Ｕ字部６1 に挟み込まれていたバネ材両端部２1 、２2 をＵ字部６1 から離脱させる。この離脱により、コイルバネ２のバネ材両端部２1 、２2 は、バネ材の反発力によって丸棒型保持部４1 、４2 の側面が円筒状部材１の筒内壁を強く押圧し、図１や図３に図示されるように、円筒状部材１の筒内にコイルバネ２が固定配置される。なお、コイルバネ取付用部材６は、円筒状部材１の筒内にコイルバネ２が固定配置された後、直ちに円筒状の円筒状部材１の筒内から引き抜かれ、第１の実施の形態に係る無線タグを組込んだ円筒状部材が形成される。
【００２８】
次に、図５は、本発明による無線タグを組込んだ円筒状部材の第２の実施の形態に係り、無線タグ保持部材がパンタグラフ型ジャッキである例を示すものである。
【００２９】
図５に示されるように、第２の実施の形態に係る無線タグを組込んだ円筒状部材は、断面円筒状で長尺の金属製円筒状部材１と、円筒状部材１の筒内に固定配置した無線タグ保持部材となるパンタグラフ型ジャッキ７とからなっている。そして、パンタグラフ型ジャッキ７は、菱形形状に連結配置された第１乃至第４保持素子７1 乃至７4 を有し、それらのいずれか１つの保持素子、この例では第１保持素子７1 に無線タグ３が固着され、２つの下側保持素子７1 、７2 の連結部及び２つの上側保持素子７3 、７4 の連結部にそれぞれゴム製の保持部８1 、８2 が結合配置されるとともに、２つの横側保持素子７1 、７4 の連結部及び他の２つの横側保持素子７2 、７3 の連結部間にパンダグラフ昇降機構となる螺動係止機構９が結合配置されるもので、螺動係止機構９の係合輪９1 の回転操作によりパンタグラフ型ジャッキ７を上昇させたとき、その上昇力が２つの保持部８1 、８2 が円筒状の円筒状部材１の筒内上下壁を強力に押圧し、その押圧力によって無線タグ３とともにパンタグラフ型ジャッキ７を円筒状部材１の筒内に固定配置している。
【００３０】
また、図６は、無線タグ保持部材となるパンタグラフ型ジャッキ７を側面から見たときの拡大側面図である。なお、図６において、図５に図示された構成要素と同じ構成要素については同じ数字記号を付し、それら構成要素についての重複説明を省略する。
【００３１】
さらに、図７は、本発明による無線タグを組込んだ円筒状部材の第２の実施の形態において、円筒状部材１の筒内にパンタグラフ型ジャッキ７を固定配置する際に使用される無線タグ配置設定部材となるクランク棒部材の使用状態を表わす説明図である。なお、図７において、１０はクランク棒部材、１０1 はクランク棒部材９の先端に設けられた係合部であって、その他に、図５に図示された構成要素と同じ構成要素に同じ数字記号を付し、それら構成要素についての重複説明を省略する。
【００３２】
ここで、図５乃至図７を参照し、第２の実施の形態に係る無線タグを組込んだ円筒状部材が形成されるまでの処理経緯について述べる。
【００３３】
まず、図５または図６に示すように、パンタグラフ型ジャッキ７の一つの保持素子、例えば第１保持素子７1 に、溶接機による溶接、ねじによるねじ止めまたは接着剤を用いた接着のいずれかの手段により無線タグ３を固着する。このパンタグラフ型ジャッキ７は、２つの下側保持素子７1 、７2 の連結部に緩衝材料（図番なし）を介して保持部８1 が結合配置されており、同じように２つの上側保持素子７3 、７4 の連結部に緩衝材料（図番なし）を介して保持部８2 が結合配置されている。
【００３４】
次に、パンタグラフ型ジャッキ７の螺動係止機構９の係合輪９1 に係合部９1 をクランク棒部材１０の係合部１０1 を係合させ、クランク棒部材１０を一方向に回転させて螺動係止機構９のパンタグラフ型ジャッキ７内の長さを延ばし、パンタグラフ型ジャッキ７を低下させる。その後、図７に示すように、クランク棒部材１０が係合されたパンタグラフ型ジャッキ７を円筒型の円筒状部材１の筒内に差し入れ、パンタグラフ型ジャッキ７を円筒状部材１の筒内の所定位置まで挿入させる。続いて、クランク棒部材１０を他方向に回転させて螺動係止機構９のパンタグラフ型ジャッキ７内の長さを短くし、パンタグラフ型ジャッキ７を上昇させる。そして、パンタグラフ型ジャッキ７を上昇が停止したとき、パンタグラフ型ジャッキ７の保持部８1 、８2 は、パンタグラフ型ジャッキ７の上昇力によって保持部８1 、８2 の保持面が円筒状部材１の筒内上下壁を強く押圧し、図５に図示されるように、円筒状部材１の筒内にパンタグラフ型ジャッキ７が固定配置される。この場合も、クランク棒部材１０は、円筒状部材１の筒内にパンタグラフ型ジャッキ７が固定配置された後、直ちに円筒状の円筒状部材１の筒内から引き抜かれ、第２の実施の形態に係る無線タグを組込んだ円筒状部材が形成される。
【００３５】
次いで、図８は、本発明による無線タグを組込んだ円筒状部材の第３の実施の形態に係り、無線タグ保持部材が板バネ付円筒体である例を示すものである。
【００３６】
図８に示されるように、第３の実施の形態に係る無線タグを組込んだ円筒状部材は、断面円筒状で長尺の金属製円筒状部材１と、円筒状部材１の筒内に固定配置した無線タグ保持部材となる板バネ付円筒体１１とからなっている。そして、板バネ付円筒体１１は、内部に無線タグ３を固着した小型円筒部材１２と、その小型円筒部材１２の外周面から突出したそれぞれ保持部１３1 、１４1 を形成した２枚の半円弧状板バネ１３、１４とにより構成されるもので、円筒状部材１の筒内に２枚の半円弧状板バネ１３、１４を若干縮めた状態にして挿入すると、２枚の半円弧状板バネ１３、１４の反発力が円筒状の円筒状部材１の筒内壁を強力に押圧し、その押圧力によって無線タグ３とともに板バネ付円筒体１１を円筒状部材１の筒内に固定配置している。
【００３７】
また、図９は、無線タグ保持部材となる板バネ付円筒体１１の全体構成を示す拡大構成図である。なお、図９において、図８に図示された構成要素と同じ構成要素については同じ数字記号を付し、それら構成要素についての重複説明を省略する。
【００３８】
さらに、図１０は、本発明による無線タグを組込んだ円筒状部材の第３の実施の形態において、円筒状部材１の筒内に板バネ付円筒体１１を固定配置する際に補助的に使用される補助円筒体及び無線タグ配置設定部材となる押し込み棒部材の使用状態を表わす説明図である。なお、図１０において、１５は円筒状の円筒状部材１の筒内径よりも若干小径でかつ短長の補助円筒体、１６は押し込み棒部材、１６1 は押し込み棒部材１６の先端に設けられた押込部であって、その他に、図８に図示された構成要素と同じ構成要素に同じ数字記号を付し、それら構成要素についての重複説明を省略する。
【００３９】
ここで、図８乃至図１０を参照し、第３の実施の形態に係る無線タグを組込んだ円筒状部材が形成されるまでの処理経緯について述べる。
【００４０】
まず、図８乃至図１０に示すように、板バネ付円筒体１１を構成する小型円筒部材１２の内部に、溶接機による溶接、ねじによるねじ止めまたは接着剤を用いた接着のいずれかの手段により無線タグ３を固着する。
【００４１】
次に、図１０に示すように、２枚の半円弧状板バネ１３、１４をそのバネ圧に抗して若干縮めた状態にして板バネ付円筒体１１を補助円筒体１５内に押し込み、板バネ付円筒体１１を押し込んだ補助円筒体１５を円筒状部材１の筒内の所定位置まで挿入する。次いで、図１０に示すように、押し込み棒部材１６を円筒型の円筒状部材１の筒内に差し込み、押し込み棒部材１６の押込部１６1 を補助円筒体１５内の板バネ付円筒体１１に当接させた後、押し込み棒部材１６を押すことにより、板バネ付円筒体１１を補助円筒体１５内から円筒型の円筒状部材１の筒内に押し出す。このとき、板バネ付円筒体１１の２枚の半円弧状板バネ１３、１４の反発力が円筒状の円筒状部材１の筒内壁を強力に押圧し、図８に図示されるように、その押圧力によって無線タグ３とともに板バネ付円筒体１１を円筒状部材１の筒内に固定配置している。この場合においても、補助円筒体１５及び押し込み棒部材１６は、円筒状部材１の筒内に板バネ付円筒体１１が固定配置された後、直ちに円筒状の円筒状部材１の筒内から抜き出され、第３の実施の形態に係る無線タグを組込んだ円筒状部材が形成される。
【００４２】
なお、本例においては、板バネ付円筒体１１として２枚の半円弧状板バネ１３、１４を用いた場合についての説明をしたが、本例に用いられる半円弧状板バネ１３、１４は、２枚に限られるものではなく、２枚以上、例えば３枚または４枚であってもよい。
【００４３】
続いて、図１１は、本発明による無線タグを組込んだ円筒状部材の第４の実施の形態に係り、無線タグ保持部材が変形保持体である例を示すものである。
【００４４】
図１１に示されるように、第４の実施の形態に係る無線タグを組込んだ円筒状部材は、断面円筒状で長尺の金属製円筒状部材１と、円筒状部材１の筒内に固定配置した無線タグ保持部材となる変形保持体１７とからなっている。そして、変形保持体１７は、屈曲形状または直線形状になるように連結配置された第１及び第２保持素子１７1 、１７2 を有し、それらのいずれか１つの保持素子、この例では第１保持素子１７1 に無線タグ３が固着され、第１及び第２保持素子１７1 、１７2 の非連結端にそれぞれ取付部１９を介してゴム製の保持部１８1 、１８2 が結合配置されている。第１及び第２保持素子１７1 、１７2 の連結部を押すと、それまで屈曲形状をしていた第１及び第２保持素子１７1 、１７2 が直線形状になり、そのときに保持部１８1 、１８2 が円筒状の円筒状部材１の筒内上下壁を強力に押圧し、その押圧力によって無線タグ３とともに変形保持体１７を円筒状部材１の筒内に固定配置している。
【００４５】
また、図１２は、無線タグ保持部材となる変形保持体１７を側面から見たときの拡大側面図である。なお、図１２において、図１１に図示された構成要素と同じ構成要素については同じ数字記号を付し、それら構成要素についての重複説明を省略する。
【００４６】
さらに、図１３は、本発明による無線タグを組込んだ円筒状部材の第４の実施の形態において、円筒状部材１の筒内に変形保持体１７を固定配置する際に使用される無線タグ配置設定部材となる押し棒部材の使用状態を表わす説明図である。なお、図１３において、１９は押し棒部材、１９1 は押し棒部材１９の先端に設けられた押付部であって、その他に、図１１に図示された構成要素と同じ構成要素に同じ数字記号を付し、それら構成要素についての重複説明を省略する。
【００４７】
ここで、図１１乃至図１３を参照し、第４の実施の形態に係る無線タグを組込んだ円筒状部材が形成されるまでの処理経緯について述べる。
【００４８】
まず、図１２または図１３に示すように、変形保持体１７の一つの保持素子、例えば第１保持素子１７1 に、溶接機による溶接、ねじによるねじ止めまたは接着剤を用いた接着のいずれかの手段により無線タグ３を固着する。
【００４９】
次に、図１２に図示されるように、変形保持体１７の第１及び第２保持素子１７1 、１７2 の連結部を図の左方向に引き、第１及び第２保持素子１７1 、１７2 の配置状態を屈曲状態、すなわち折り畳んだ状態にし、この状態の変形保持体１７を円筒型の円筒状部材１の筒内に差し入れ、変形保持体１７を円筒状部材１の筒内の所定位置まで挿入させる。
【００５０】
続いて、押し棒部材１９を円筒状部材１の筒内に挿入し、その押付部１９1 を変形保持体１７の第１及び第２保持素子１７1 、１７2 の連結部に当接させ、当接させた状態で押し棒部材１９を押し、第１及び第２保持素子１７1 、１７2 をそれまでの屈曲状態から直線状態に変形させる。このとき、押し棒部材１９の押圧による第１及び第２保持素子１７1 、１７2 の変形により、保持部１８1 、１８2 が円筒状部材１の筒内上下壁を強く押圧し、図１１に示されるように、円筒状部材１の筒内に変形保持体１７が固定配置される。この場合も、押し棒部材１９は、円筒状部材１の筒内に変形保持体１７が固定配置された後、直ちに円筒状の円筒状部材１の筒内から引き抜かれ、第４の実施の形態に係る無線タグを組込んだ円筒状部材が形成される。
【図面の簡単な説明】
【００５１】
【図１】本発明による無線タグを組込んだ円筒状部材の第１の実施の形態に係るもので、無線タグ保持部材がコイルバネである例を示すものである。
【図２】無線タグ保持部材となるコイルバネを三方面からそれぞれ見たときの上面図、正面図、側面図である。
【図３】本発明による無線タグを組込んだ円筒状部材の第１の実施の形態において、円筒状部材の筒内にコイルバネを固定配置したときの配置状態を示す側面図である。
【図４】本発明による無線タグを組込んだ円筒状部材の第１の実施の形態において、円筒状部材の筒内にコイルバネを固定配置する際に使用されるコイルバネ取付用部材の使用状態を表わす説明図である。
【図５】本発明による無線タグを組込んだ円筒状部材の第２の実施の形態に係り、無線タグ保持部材がパンタグラフ型ジャッキである例を示すものである。
【図６】無線タグ保持部材となるパンタグラフ型ジャッキを側面から見たときの拡大側面図である。
【図７】本発明による無線タグを組込んだ円筒状部材の第２の実施の形態において、円筒状部材の筒内にパンタグラフ型ジャッキを固定配置する際に使用されるクランク棒部材の使用状態を表わす説明図である。
【図８】本発明による無線タグを組込んだ円筒状部材の第３の実施の形態に係り、無線タグ保持部材が板バネ付円筒体である例を示すものである。
【図９】無線タグ保持部材となる板バネ付円筒体の全体構成を示す拡大構成図である。
【図１０】本発明による無線タグを組込んだ円筒状部材の第３の実施の形態において、円筒状部材の筒内に板バネ付円筒体を固定配置する際に補助的に使用される補助円筒体及び無線タグ配置設定部材となる押し込み棒部材の使用状態を表わす説明図である。
【図１１】本発明による無線タグを組込んだ円筒状部材の第４の実施の形態に係り、無線タグ保持部材が変形保持体である例を示すものである。
【図１２】無線タグ保持部材となる変形保持体を側面から見たときの拡大側面図である。
【図１３】本発明による無線タグを組込んだ円筒状部材の第４の実施の形態において、円筒状部材の筒内に変形保持体を固定配置する際に使用される押し棒部材の使用状態を表わす説明図である。
【符号の説明】
【００５２】
１  円筒状部材
２  コイルバネ（無線タグ保持部材）
２1 、２2   バネ材両端部
３  無線タグ
４1 、４2 、８1 、８2 、１８1 、１８2   保持部
５  無線タグリーダ
６  コイルバネ取付用部材（無線タグ配置設定部材）
６1   Ｕ字部
７  パンタグラフ型ジャッキ（無線タグ保持部材）
７1 〜７4   第１〜第４保持素子
９  螺動係止機構
９1   係合輪
１０  クランク棒部材（無線タグ配置設定部材）
１０1   係合部
１１  板バネ付円筒体（無線タグ保持部材）
１２  小型円筒部材
１３、１４  半円弧状板バネ
１５  補助円筒体
１６  押し込み棒部材（無線タグ配置設定部材）
１６1   押込部
１７  変形保持体（無線タグ保持部材）
１７1 〜１７2   第１〜第２保持素子
１９  押し棒部材（無線タグ配置設定部材）
１９1   押付部
【図１】
2009003861.tif 000003
【図２】
2009003861.tif 000004
【図３】
2009003861.tif 000005
【図４】
2009003861.tif 000006
【図５】
2009003861.tif 000007
【図６】
2009003861.tif 000008
【図７】
2009003861.tif 000009
【図８】
2009003861.tif 000010
【図９】
2009003861.tif 000011
【図１０】
2009003861.tif 000012
【図１１】
2009003861.tif 000013
【図１２】
2009003861.tif 000014
【図１３】
2009003861.tif 000015